【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
ロックデバイスであって、
前記ロックデバイスの動作を制御するように規定されているプロセッサと、
前記プロセッサと電気通信するように規定されている無線部と、
前記ロックデバイス内に配置され、前記プロセッサと電気通信するように規定されている位置決定装置と、前記プロセッサ、前記無線部、および前記位置決定装置の組み合わせによってワイヤレス追跡・通信システムを形成し、
シャックルと、
前記プロセッサと電気通信するように規定されているロック機構と、を備え、
前記プロセッサは、前記ワイヤレス追跡・通信システムを介して取得した情報に基づき、前記ロック機構を操作して、前記シャックルのロックとロック解除を制御するように規定されており、
前記ロック機構は、前記シャックルに係合して前記シャックルをロックするため可動であるように規定され、また、前記シャックルから外れて前記シャックルをロック解除するため可動であるように規定されている、ラッチ板を有し、
前記ロック機構は、さらに、前記ラッチ板と係合するため第１の方向に可動であるように規定されているカムを有し、前記カムの第２の方向への動きによって、前記ラッチ板が前記第２の方向に動き、
前記ロック機構は、さらに、前記カムが前記ラッチ板と係合するための前記第１の方向の動きを制御するように機械的に接続されているモータを有し、前記モータは、前記プロセッサにより制御されるように電気的に接続されており、
さらに、前記ラッチ板に対する前記カムの位置を特定し、その特定された前記カムの位置を前記プロセッサに電気的に伝達するように規定された、ロック・センサ、を備えるロックデバイス。
【請求項２】
前記プロセッサ、前記無線部、前記位置決定装置、および前記ロック機構に電力を供給するように規定されている電源をさらに備える、請求項１に記載のロックデバイス。
【請求項３】
前記電源に電気的に接続され、前記電源を充電するように規定されている太陽電池膜さらに備える、請求項２に記載のロックデバイス。
【請求項４】
前記無線部は、国際的な周波数の無線部であり、
前記位置決定装置は、グローバル・ポジショニング・システムの受信機である、請求項１に記載のロックデバイス。
【請求項５】
前記プロセッサは、安全なワイヤレス通信ネットワークへの前記ロックデバイスの近接度、前記ロックデバイスの地球上における位置、および前記ワイヤレス追跡・通信システムを介して受信する１つまたは複数のコマンドのうち、１つまたは複数に基づいて前記ロック機構を操作するように規定されている、請求項１に記載のロックデバイス。
【請求項６】
前記カムを前記ラッチ板と係合させるように動かすために前記モータを制御する前記プロセッサの動作を通してのみ、前記シャックルのロック解除が可能である、請求項１に記載のロックデバイス。
【請求項７】
データを記録するため、前記プロセッサと電気通信するように配置されているメモリと、前記データは前記ワイヤレス追跡・通信システムを動作させるためのプログラム命令を含み、前記データは前記ロックデバイスの動作に関連する設定をさらに含み、前記データは前記ロックデバイスの時間依存状態の記録をさらに含んでおり、
前記プロセッサと電気的に通信するように配置され、前記メモリに記録されているデータを視覚的に表示するように規定されている、ユーザインタフェース・ディスプレイと、
前記プロセッサと電気的に通信するように配置され、前記ユーザインタフェース・ディスプレイにどのデータを表示するのかを制御するように規定されている、ユーザインタフェース制御装置と、をさらに備える、請求項１に記載のロックデバイス。
【請求項８】
前記ユーザインタフェース・ディスプレイは液晶ディスプレイであり、また、前記ユーザインタフェース制御装置は機械的ボタンである、請求項７に記載のロックデバイス。
【請求項９】
ロックデバイスであって、
シェルと、
前記シェルの内部のチャネル内に配置されたシャックルであって、前記シェルの開口部に挿入されてシャックル・ループを閉じるように規定され、さらに、前記シェルの前記開口部から解放されて、シャックル・ループを開くように規定されている、シャックルと、
前記シェルの内部に配置されたラッチ板であって、前記シャックルが前記シェルに挿入されてシャックル・ループが閉じられると、前記シャックルに係合して、前記シャックルをロックするように規定されている、ラッチ板と、
前記シェルの内部に配置されたプッシュ板であって、外力が加えられることによって前記シェル内で動くように規定されている、プッシュ板と、
前記プッシュ板に機械的に固定されているモータと、
前記モータにより動かされて前記ラッチ板と係合するように機械的に接続されたカムと、外力が加えられて前記プッシュ板が動かされると、前記モータが作動して前記カムを前記ラッチ板に係合させ、これによって、前記ラッチ板が前記シャックルから外れるように動くことで、前記シャックルは自由となって前記シェルから解放されてシャックル・ループが開くようになっている、
前記ロックデバイスにオンボード搭載されて、前記ロックデバイスの状態を監視し、観測された前記ロックデバイスの状態に基づいて、前記カムを動かすための前記モータの制御を自律的に行なうように規定されている、プロセッサと、を備えるロックデバイス。
【請求項１０】
前記カムは、前記モータに剛結合されており、前記プッシュ板の動きを介する前記モータの動きは、前記カムの対応する動きをもたらす、請求項９に記載のロックデバイス。
【請求項１１】
前記モータが前記カムを動かして前記ラッチ板に係合させるように作動していないときに、前記カムを前記ラッチ板から外すように規定されている、第１のバネと、
前記プッシュ板を動かす外力が加えられておらず、前記カムもまた前記ラッチ板と係合するように動かされたときに、前記ラッチ板を前記シャックルに係合させるように規定されている、第２のバネと、
前記プッシュ板を動かすように加えられる外力に抵抗するように規定されている第３のバネであって、外力が加えられていない際に前記プッシュ板を定位置に戻す、第３のバネと、をさらに備える、請求項９に記載のロックデバイス。
【請求項１２】
前記プッシュ板と前記ラッチ板は物理的に相互に当接しており、これによって、前記シャックルに加わる力が、前記シャックルを通じて前記ラッチ板へ、前記プッシュ板へ、前記シェルへと伝達される、請求項９に記載のロックデバイス。
【請求項１３】
前記モータは、前記シャックルに加わる力から隔離されている、請求項９に記載のロックデバイス。
【請求項１４】
前記シェル内に配置された連動板をさらに備え、
前記連動板は、前記プッシュ板、前記モータ、前記カム、前記ラッチ板、および前記シャックルを覆うように、前記シェルに固定されており、これにより、前記連動板を取り外すことなく前記ロックデバイスのロック機構にアクセスすることは不可能になっており、
前記連動板は、前記シャックルが前記シェルの前記開口部から解放されてシャックル・ループが開いているときに前記シェルの前記開口部を通じてのみアクセス可能であるファスナによって前記シェルに固定されている、請求項９に記載のロックデバイス。
【手続補正２】
【補正対象書類名】明細書
【補正対象項目名】００８２
【補正方法】変更
【補正の内容】
【００８２】
本発明について、いくつかの実施形態に関して説明したが、当然のことながら、当業者であれば、上記明細書を読み、図面を詳査することで、様々な変更、追加、置換、およびその均等物を思いつくであろう。従って、本発明は、発明の真の精神および範囲に含まれるすべての変更、追加、置換、および均等物を含む。
適用例１：ロックデバイスであって、前記ロックデバイスの動作を制御するように規定されているプロセッサと、前記プロセッサと電気通信するように規定されている無線部と、前記プロセッサと電気通信するように規定されている位置決定装置であって、前記プロセッサ、前記無線部、および前記位置決定装置の組み合わせによってワイヤレス追跡・通信システムを形成する、位置決定装置と、シャックルと、前記プロセッサと電気通信するように規定されているロック機構と、を備え、前記プロセッサは、前記ワイヤレス追跡・通信システムを介して取得した情報に基づき、前記ロック機構を操作して、前記シャックルのロックとロック解除を制御するように規定されている、ロックデバイス。
適用例２：前記プロセッサ、前記無線部、前記位置決定装置、および前記ロック機構に電力を供給するように規定されている電源をさらに備える、適用例１に記載のロックデバイス。
適用例３：前記電源に電気的に接続され、前記電源を充電するように規定されている太陽電池膜さらに備える、適用例２に記載のロックデバイス。
適用例４：前記無線部は、国際的な周波数の無線部であり、前記位置決定装置は、グローバル・ポジショニング・システムの受信機である、適用例１に記載のロックデバイス。
適用例５：前記プロセッサは、安全なワイヤレス通信ネットワークへの前記ロックデバイスの近接度、前記ロックデバイスの地球上における位置、および前記ワイヤレス追跡・通信システムを介して受信する１つまたは複数のコマンドのうち、１つまたは複数に基づいて前記ロック機構を操作するように規定されている、適用例１に記載のロックデバイス。
適用例６：前記ロック機構は、前記シャックルに係合して前記シャックルをロックするため可動であるように規定され、また、前記シャックルから外れて前記シャックルをロック解除するため可動であるように規定されている、ラッチ板を有し、前記ロック機構は、さらに、前記ラッチ板と係合するため第１の方向に可動であるように規定されているカムを有し、前記カムの第２の方向への動きによって、前記ラッチ板が前記第２の方向に動き、前記ロック機構は、さらに、前記カムが前記ラッチ板と係合するための前記第１の方向の動きを制御するように機械的に接続されているモータを有し、前記モータは、前記プロセッサにより制御されるように電気的に接続されている、適用例１に記載のロックデバイス。
適用例７：前記カムを前記ラッチ板と係合させるように動かすために前記モータを制御する前記プロセッサの動作を通してのみ、前記シャックルのロック解除が可能である、適用例６に記載のロックデバイス。
適用例８：前記ラッチ板に対する前記カムの位置を特定し、その特定された前記カムの位置を前記プロセッサに電気的に伝達するように規定された、ロック・センサをさらに備える、適用例６に記載のロックデバイス。
適用例９：データを記録するため、前記プロセッサと電気通信するように配置されているメモリと、前記データは前記ワイヤレス追跡・通信システムを動作させるためのプログラム命令を含み、前記データは前記ロックデバイスの動作に関連する設定をさらに含み、前記データは前記ロックデバイスの時間依存状態の記録をさらに含んでおり、前記プロセッサと電気的に通信するように配置され、前記メモリに記録されているデータを視覚的に表示するように規定されている、ユーザインタフェース・ディスプレイと、前記プロセッサと電気的に通信するように配置され、前記ユーザインタフェース・ディスプレイにどのデータを表示するのかを制御するように規定されている、ユーザインタフェース制御装置と、をさらに備える、適用例１に記載のロックデバイス。
適用例１０：前記ユーザインタフェース・ディスプレイは液晶ディスプレイであり、また、前記ユーザインタフェース制御装置は機械的ボタンである、適用例９に記載のロックデバイス。
適用例１１：ロックデバイスであって、シェルと、前記シェルの内部のチャネル内に配置されたシャックルであって、前記シェルの開口部に挿入されてシャックル・ループを閉じるように規定され、さらに、前記シェルの前記開口部から解放されて、シャックル・ループを開くように規定されている、シャックルと、前記シェルの内部に配置されたラッチ板であって、前記シャックルが前記シェルに挿入されてシャックル・ループが閉じられると、前記シャックルに係合して、前記シャックルをロックするように規定されている、ラッチ板と、前記シェルの内部に配置されたプッシュ板であって、外力が加えられることによって前記シェル内で動くように規定されている、プッシュ板と、前記プッシュ板に機械的に固定されているモータと、前記モータにより動かされて前記ラッチ板と係合するように機械的に接続されたカムと、外力が加えられて前記プッシュ板が動かされると、前記モータが作動して前記カムを前記ラッチ板に係合させ、これによって、前記ラッチ板が前記シャックルから外れるように動くことで、前記シャックルは自由となって前記シェルから解放されてシャックル・ループが開くようになっている、前記ロックデバイスにオンボード搭載されて、前記ロックデバイスの状態を監視し、観測された前記ロックデバイスの状態に基づいて、前記カムを動かすための前記モータの制御を自律的に行なうように規定されている、プロセッサと、を備えるロックデバイス。
適用例１２：前記カムは、前記モータに剛結合されており、前記プッシュ板の動きを介する前記モータの動きは、前記カムの対応する動きをもたらす、適用例１１に記載のロックデバイス。
適用例１３：前記モータが前記カムを動かして前記ラッチ板に係合させるように作動していないときに、前記カムを前記ラッチ板から外すように規定されている、第１のバネと、前記プッシュ板を動かす外力が加えられておらず、前記カムもまた前記ラッチ板と係合するように動かされたときに、前記ラッチ板を前記シャックルに係合させるように規定されている、第２のバネと、前記プッシュ板を動かすように加えられる外力に抵抗するように規定されている第３のバネであって、外力が加えられていない際に前記プッシュ板を定位置に戻す、第３のバネと、をさらに備える、適用例１１に記載のロックデバイス。
適用例１４：前記プッシュ板と前記ラッチ板は物理的に相互に当接しており、これによって、前記シャックルに加わる力が、前記シャックルを通じて前記ラッチ板へ、前記プッシュ板へ、前記シェルへと伝達される、適用例１１に記載のロックデバイス。
適用例１５：前記モータは、前記シャックルに加わる力から隔離されている、適用例１１に記載のロックデバイス。
適用例１６：前記シェル内に配置された連動板をさらに備え、前記連動板は、前記プッシュ板、前記モータ、前記カム、前記ラッチ板、および前記シャックルを覆うように、前記シェルに固定されており、これにより、前記連動板を取り外すことなく前記ロックデバイスのロック機構にアクセスすることは不可能になっており、前記連動板は、前記シャックルが前記シェルの前記開口部から解放されてシャックル・ループが開いているときに前記シェルの前記開口部を通じてのみアクセス可能であるファスナによって前記シェルに固定されている、適用例１１に記載のロックデバイス。
適用例１７：ロックデバイスの状態に基づく前記ロックデバイスの自律動作のための方法であって、前記ロックデバイスのリアルタイムの状態を自動的に特定するために、前記ロックデバイスのオンボードのコンピュータシステムを動作させることと、自動的に特定された前記ロックデバイスのリアルタイムの状態に基づき、前記ロックデバイスをロックあるいはロック解除するように、前記ロックデバイスのロック機構を自動制御するために、前記コンピュータシステムを動作させることと、を含む、ロックデバイスの状態に基づくロックデバイスの自律動作のための方法。
適用例１８：前記ロックデバイスのリアルタイムの状態には、前記コンピュータシステムによる実行待ちのコマンドの有無、前記ロックデバイスの制御とのユーザ・インタラクションの有無、前記コンピュータシステムによる実行予定のタスクの有無、前記ロックデバイスの電源の現在の状態、および前記ロックデバイスの現在の環境状態のうち、１つまたは複数が含まれる、適用例１７に記載のロックデバイスの状態に基づくロックデバイスの自律動作のための方法。
適用例１９：前記ロックデバイスの現在の環境状態には、前記ロックデバイスの動きの現在の状態、前記ロックデバイスの現在の地球上における位置、前記コンピュータシステムがワイヤレスで通信することができるワイヤレス通信ネットワークへの前記ロックデバイスの現在の近接度、前記ロックデバイスの付近の温度、前記ロックデバイスの付近の湿度、前記ロックデバイスの付近の放射能レベル、前記ロックデバイスの付近での化学物質の存在の有無、および前記ロックデバイスの付近での外部の動きのうち、１つまたは複数が含まれる、適用例１８に記載のロックデバイスの状態に基づくロックデバイスの自律動作のための方法。
適用例２０：前記ロックデバイスのリアルタイムの状態を自動的に特定するために、前記ロックデバイスのオンボードの前記コンピュータシステムを動作させることは、前記ロックデバイスのオンボードの前記コンピュータシステム内でワイヤレス追跡システムを動作させて、前記ロックデバイスの地球上における位置を特定することを含んでいる、適用例１７に記載のロックデバイスの状態に基づくロックデバイスの自律動作のための方法。
適用例２１：前記ロックデバイスのリアルタイムの状態を自動的に特定するために、前記ロックデバイスのオンボードの前記コンピュータシステムを動作させることは、前記ロックデバイスのオンボードの前記コンピュータシステム内でワイヤレス通信システムを動作させて、ワイヤレス・ネットワークにアクセスし、１つまたは複数のソースから前記ワイヤレス・ネットワークを通じてコマンドを受信することを含んでいる、適用例１７に記載のロックデバイスの状態に基づくロックデバイスの自律動作のための方法。
適用例２２：前記受信されるコマンドは、前記ロックデバイスのリアルタイムの状態を更新して、前記ロックデバイスをロックあるいはロック解除することを前記ロックデバイスのオンボードの前記コンピュータシステムに指示する、適用例２１に記載のロックデバイスの状態に基づくロックデバイスの自律動作のための方法。
適用例２３：前記ロックデバイスのリアルタイムの状態を自動的に特定するために、前記ロックデバイスのオンボードの前記コンピュータシステムを動作させることは、前記ロックデバイスに近接した１つまたは複数のセンサからデータを取得するために前記コンピュータシステムを動作させることを含んでいる、適用例１７に記載のロックデバイスの状態に基づくロックデバイスの自律動作のための方法。
適用例２４：前記ロックデバイスに近接した前記１つまたは複数のセンサのうちの一部は、前記ロックデバイスに物理的に取り付けられており、有線接続を通して前記コンピュータシステムとデータ通信する、適用例２３に記載のロックデバイスの状態に基づくロックデバイスの自律動作のための方法。
適用例２５：前記ロックデバイスに近接する前記１つまたは複数のセンサのうちの一部は、前記ロックデバイスに物理的に取り付けられておらず、ワイヤレス手段を通じて前記コンピュータシステムとデータ通信する、適用例２３に記載のロックデバイスの状態に基づくロックデバイスの自律動作のための方法。
適用例２６：前記１つまたは複数のセンサは、動きセンサ、温度センサ、湿度センサ、赤外線センサ、放射能検出センサ、音響センサ、および化学物質検出センサのうち、１つまたは複数を含んでいる、適用例２３に記載のロックデバイスの状態に基づくロックデバイスの自律動作のための方法。
適用例２７：前記ロックデバイスのオンボードのメモリにデータを自動的に記録するため、前記ロックデバイスのオンボードの前記コンピュータシステムを動作させることをさらに含み、前記データは、前記特定された前記ロックデバイスのリアルタイムの状態に関する情報を含んでいる、適用例１７に記載のロックデバイスの状態に基づくロックデバイスの自律動作のための方法。
適用例２８：前記データは、前記ロックデバイスの地球上における位置、前記ロックデバイスに関連するセキュリティ・イベント、前記ロックデバイスのシャックルの状態、前記ロックデバイスのオンボードの前記コンピュータシステムにより受信または送信が行われたネットワーク通信、前記ロックデバイスの物理的な動き、および前記ロックデバイスがさらされている環境条件のうち、１つまたは複数についてのタイムスタンプ付き情報を含んでいる、適用例２７に記載のロックデバイスの状態に基づくロックデバイスの自律動作のための方法。
適用例２９：前記ロックデバイスのオンボードの前記メモリに自動的に記録されたデータを、前記ロックデバイスの範囲内にあるワイヤレス・ネットワークの範囲内にある受信機に対して送信するため、前記ロックデバイスのオンボードの前記コンピュータシステム内のワイヤレス通信システムを動作させることをさらに含む、適用例２７に記載のロックデバイスの状態に基づくロックデバイスの自律動作のための方法。
適用例３０：ロックデバイスを動作させる方法であって、前記ロックデバイスのプロセッサにより出されるウェイクアップ信号を待つ間、前記ロックデバイスを最小消費電力の状態に維持することと、前記ロックデバイスが通常の電力レベルで動作する必要のあるイベントを検出することと、ウェイクアップ信号を発するように前記プロセッサを動作させて、前記ロックデバイスを前記最小消費電力の状態から前記通常の電力レベルに移行させることと、前記ロックデバイスのワイヤレス通信システムを介して、コマンドを受信することと、前記受信したコマンドを実行するように前記プロセッサを動作させることと、前記受信したコマンドの実行の後に、前記ロックデバイスを前記通常の電力レベルから前記最小消費電力の状態に移行させることと、を備える、ロックデバイスを動作させる方法。
適用例３１：前記受信されるコマンドは、前記ロックデバイスをロックあるいはロック解除することを指示するコマンドである、適用例３０に記載のロックデバイスを動作させる方法。